(57)【要約】【課題】デジタルカメラの画像データを外部の大画面モニタで鑑賞する際に、大画面モニタが表示するに充分な量の画像データのみを送出することの出来るデジタルカメラを提供することを目的とする。【解決手段】表示画面を備えた電子機器とデータを授受するインタフェース部と、  画像データを記憶する記憶手段と、前記インタフェース部に接続された前記電子機器の表示画面の水平画素数及び垂直画素数を判別する判別手段と、前記判別手段が判別した前記電子機器の表示画面の水平画素数および垂直画素数と同一の画素数から構成される画像データとなるように前記画像データに対して所定の処理を施して前記インタフェース部から前記電子機器に出力する処理手段とを備える。【選択図】    図１  
2005080043.tif 000002
【特許請求の範囲】
【請求項１】
表示画面を備えた電子機器とデータを授受するインタフェース部と、
画像データを記憶する記憶手段と、
前記インタフェース部に接続された前記電子機器の表示画面の水平と垂直の長さの比であるアスペクト比を判別する第１判別手段と、
前記第１判別手段が判別したアスペクト比に基づいて前記画像データを前記電子機器に出力する際の水平画素数及び垂直画素数を決定する決定手段とを備えたことを特徴とするデジタルカメラ。
（アスペクトを判別して出力する画素数を判断する）
【請求項２】
表示画面を備えた電子機器とデータを授受するインタフェース部と、
画像データを記憶する記憶手段と、
前記インタフェース部に接続された前記電子機器の表示画面の水平と垂直の長さの比であるアスペクト比を判別する第１判別手段と、
前記インタフェース部に接続された前記電子機器の表示画面の垂直走査線情報を判別する第２判別手段と、
前記第２判別手段が判別した垂直走査線情報と前記第１判別手段が判別したアスペクト比とから前記画像データを前記電子機器に出力する際の水平画素数及び垂直画素数を決定する決定手段とを備えたことを特徴とするデジタルカメラ。
【請求項３】
前記垂直走査線情報とは前記電子機器の表示画面の全垂直走査線数、有効垂直走査線数の何れか一つであることを特徴とする請求項２に記載のデジタルカメラ。
【請求項４】
前記第１判別手段が判別したアスペクト比が水平：垂直＝Ｍ：Ｎの場合には前記決定手段は前記水平画素数を前記垂直走査線情報のＮ分のＭ倍となるように決定することを特徴とする請求項２に記載のデジタルカメラ。
【請求項５】
前記アスペクト比はＭ：Ｎ＝４：３あるいはＭ：Ｎ＝１６：９のいずれか一つであることを特徴とする請求項４に記載のデジタルカメラ。
【請求項６】
更に、前記決定手段が決定した前記電子機器の表示画面の水平画素数及び垂直画素数と同一の画素数から構成される画像データとなるように前記画像データに対して所定の処理を施して前記インタフェース部から前記電子機器に出力する処理手段を備えたことを特徴とする請求項１または請求項２の何れかに記載のデジタルカメラ。
【請求項７】
表示画面を備えた電子機器とデータを授受するインタフェース部と、
画像データを記憶する記憶手段と、
前記インタフェース部に接続された前記電子機器の表示画面の水平画素数及び垂直画素数を判別する判別手段と、
前記判別手段が判別した前記電子機器の表示画面の水平画素数および垂直画素数と同一の画素数から構成される画像データとなるように前記画像データに対して所定の処理を施して前記インタフェース部から前記電子機器に出力する処理手段とを備えたことを特徴とするデジタルカメラ。
【請求項８】
前記処理手段は、下記条件（１）、（２）のうちの何れかが満たされたならば、前記インタフェース部から出力する画像データの水平方向の表示サイズを前記電子機器の表示画面の水平方向中央部に対して左右端点近傍に近づくに従って相対的に拡大するよう処理することを特徴とする請求項６または請求項７の何れかに記載のデジタルカメラ。
（Ｎ１／Ｎ２）＜（Ｌ１／Ｌ２）        （１）
（Ｎ１／Ｎ２）＜（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
【請求項９】
前記処理手段は、下記条件（１）、（２）のうちの何れかが満たされたならば、前記インタフェース部から出力する画像データの垂直方向の表示サイズを前記電子機器の表示画面の垂直方向中央部に対して上下端点近傍に近づくに従って相対的に縮小するよう処理することを特徴とする請求項６または請求項７の何れかに記載のデジタルカメラ。
（Ｎ１／Ｎ２）＜（Ｌ１／Ｌ２）        （１）
（Ｎ１／Ｎ２）＜（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
【請求項１０】
前記処理手段は、下記条件（１）、（２）のうちの何れかが満たされたならば、前記インタフェース部から出力する画像データの水平方向の表示サイズを前記電子機器の表示画面の水平方向中央部に対して左右端点近傍に近づくに従って相対的に縮小するよう処理することを特徴とする請求項６または請求項７の何れかに記載のデジタルカメラ。
（Ｎ１／Ｎ２）＞（Ｌ１／Ｌ２）        （１）
（Ｎ１／Ｎ２）＞（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
【請求項１１】
前記処理手段は、下記条件（１）、（２）のうちの何れかが満たされたならば、前記インタフェース部から出力する画像データの垂直方向の表示サイズを前記電子機器の表示画面の垂直方向中央部に対して上下端点近傍に近づくに従って相対的に拡大するよう処理することを特徴とする請求項６または請求項７の何れかに記載のデジタルカメラ。
（Ｎ１／Ｎ２）＞（Ｌ１／Ｌ２）        （１）
（Ｎ１／Ｎ２）＞（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
【請求項１２】
前記処理手段は、前記画像データが前記電子機器の表示画面に水平、垂直方向ともに同一のサイズで表示されるように前記画像データを処理することを特徴とする請求項６または請求項７の何れかに記載のデジタルカメラ。
【請求項１３】
前記処理手段は、少なくとも前記画像データの垂直方向の上端及び下端が前記電子機器の表示画面の垂直方向の上端及び下端にほぼ一致して表示されるかあるいは前記画像データの水平方向の左端及び右端が前記電子機器の表示画面の水平方向の左端及び右端にほぼ一致して表示されるよう処理することを特徴とする請求項１２に記載のデジタルカメラ。
【請求項１４】
前記処理手段は、前記画像データの水平方向の左右端及び垂直方向の上下端までの全てが前記電子機器の表示画面に表示されるよう処理することを特徴とする請求１２に記載のデジタルカメラ。
【請求項１５】
更に、前記画像データから前記電子機器の表示画面に表示する範囲を抽出する抽出手段を備え、
前記抽出手段は前記電子機器の表示画面上に前記画像データの垂直方向の上下端がほぼ一致して表示されている場合には水平方向に対して、あるいは水平方向の左右端がほぼ一致して表示されている場合には垂直方向に対して前記画像データから前記電子機器の表示画面に相当する範囲を抽出することを特徴とする請求項１２に記載のデジタルカメラ。
【請求項１６】
更に、前記画像データから前記電子機器の表示画面に表示する範囲を抽出する抽出手段と、
表示画面をズーミングするよう指示するズーム手段とを備え、
前記抽出手段は前記ズーム手段によるズーミング指示に基づいて前記画像データから前記電子機器の表示画面に表示する範囲を抽出することを特徴とする請求項６または請求項７の何れかに記載のデジタルカメラ。
【請求項１７】
更に、前記画像データから前記電子機器の表示画面に表示する範囲を抽出する抽出手段と、
前記電子機器の表示画面に表示される表示画像を上下あるいは左右にスクロールするためのスクロール信号を生成するスクロール信号生成手段とを備え、
前記抽出手段は前記スクロール信号生成手段によるスクロール信号に基づいて前記画像データから前記電子機器の表示画面に表示する範囲を抽出することを特徴とする請求項６または請求項７の何れかに記載のデジタルカメラ。
【請求項１８】
更に、前記画像データを表示する第２表示画面と、
前記インタフェース部に前記電子機器が接続されていることを検出する検出手段と、
前記検出手段の検出結果に応じて前記第２表示画面の電源をオフする電源制御手段とを備えたことを特徴とする請求項６または請求項７の何れかに記載のデジタルカメラ。
【請求項１９】
前記インタフェース部は前記電子機器とネットワークを介してデータを授受することを特徴とする請求項６または請求項７の何れかに記載のデジタルカメラ。
【発明の詳細な説明】
【技術分野】
【０００１】
本発明は、デジタルカメラとネットワークを介して接続された大画面モニタでの画像データの表示方法に関する。
【背景技術】
【０００２】
従来、デジタルカメラで撮影あるいは再生された画像データはデジタルカメラに備わっている小型のＬＣＤモニタで確認していた。更に、より大きな画面で確認するためデジタルカメラからアナログあるいはデジタルのビデオ信号を出力して通常の家庭用テレビジョンの大画面で確認することもできる。更に、近年は種々の無線ＬＡＮ方式が提案されてきていて、そのうち、近距離無線通信方式の規格の一つであるＵＷＢ（Ｕｌｔｒａ  Ｗｉｄｅｂａｎｄ）やＩＥＥＥ８０２．１１ｇにおいては１００Ｍｂｐｓというデータ転送レートも実現されていて、大容量のデータ転送に伴う待ち時間も大幅に短縮されている。これらの機能を家庭内の機器に組み込み各機器間をこのような無線ＬＡＮで接続することで従来にない新しい家庭内ネットワークを構成することが可能となってきている。
【０００３】
また、近年はハイビジョン用の大画面も普及していて、その場合にはデジタルカメラで撮影された画面とはアスペクト比が異なっている。この様な画面にデジタルカメラの画像データを表示するにはアスペクト比を変換する等の何らかの処理が必要となってくる。
【０００４】
特開平６−６６３４号公報にはアスペクト比を変換する際、画面中央部と周辺部で圧縮あるいは伸長の率を変えて変換する技術が開示されている。特開２０００−２２７７８５号公報にはアスペクトの違いを識別し、アスペクト比を変化させた複数の静止画像を同時に出力する技術が開示されている。特開２００３−１３４３３４号公報には携帯等の回線接続装置から画像表示能力を示す属性情報を受信し、画像サイズを変換して画像送信要求に応じて送信する画像サイズ変換装置が開示されている。
【発明の開示】
【発明が解決しようとする課題】
【０００５】
上述した大画面用の出力データはデジタルカメラのＬＣＤモニタに表示しているデータ内容と同一の内容を通常そのまま出力している。この時、デジタルカメラのＬＣＤモニタと外部の大画面モニタとで画面のアスペクト比が異なっていた場合には外部の大画面では全画面を同時に表示出来ない場合がある。外部モニタ側を操作して縦横寸法を圧縮したりスクロールしたりして全画像を確認することは可能であるが操作が煩雑である。一方、近年デジタルカメラに使用される撮像素子の画素数は５００万画素以上にもなってきていてこの全画像データを単に表示するだけが目的の外部モニタに全て転送していたならば転送時間が不経済である。
【０００６】
本発明においては、デジタルカメラの画像データを外部の大画面モニタで鑑賞する際に、大画面モニタが表示するに充分な量の画像データのみを送出することの出来るデジタルカメラを提供することを目的とする。
【課題を解決するための手段】
【０００７】
上記問題点の解決のために、請求項１の発明は、表示画面を備えた電子機器とデータを授受するインタフェース部と、画像データを記憶する記憶手段と、前記インタフェース部に接続された前記電子機器の表示画面の水平と垂直の長さの比であるアスペクト比を判別する第１判別手段と、前記第１判別手段が判別したアスペクト比に基づいて前記画像データを前記電子機器に出力する際の水平画素数及び垂直画素数を決定する決定手段とを備え
たことを特徴としていて、接続された電子機器の表示画面のアスペクト比を判別してデジタルカメラから出力する画素数を決定することが出来る。
【０００８】
請求項２の発明は、表示画面を備えた電子機器とデータを授受するインタフェース部と、画像データを記憶する記憶手段と、前記インタフェース部に接続された前記電子機器の表示画面の水平と垂直の長さの比であるアスペクト比を判別する第１判別手段と、前記インタフェース部に接続された前記電子機器の表示画面の垂直走査線情報を判別する第２判別手段と、前記第２判別手段が判別した垂直走査線情報と前記第１判別手段が判別したアスペクト比とから前記画像データを前記電子機器に出力する際の水平画素数及び垂直画素数を決定する決定手段とを備えたことを特徴としていて、接続された表示機器の表示画面のアスペクト比と垂直走査線数とから水平画素を決定し出力する画素数を決定することができる。請求項３の発明では、前記垂直走査線情報とは前記電子機器の表示画面の全垂直走査線数、有効垂直走査線数の何れか一つであることを特徴としている。更に、請求項４の発明では、前記第１判別手段が判別したアスペクト比が水平：垂直＝Ｍ：Ｎの場合には前記決定手段は前記水平画素数を前記垂直走査線情報のＮ分のＭ倍となるように決定することを特徴としていて、請求項５の発明で、前記アスペクト比はＭ：Ｎ＝４：３あるいはＭ：Ｎ＝１６：９のいずれか一つであることを特徴としている。
【０００９】
請求項６の発明では更に、前記決定手段が決定した前記電子機器の表示画面の水平画素数及び垂直画素数と同一の画素数から構成される画像データとなるように前記画像データに対して所定の処理を施して前記インタフェース部から前記電子機器に出力する処理手段を備えたことを特徴としていて、外部の大画面である表示画面の画素数分の画像データのみデジタルカメラから出力し、表示に不要なデータは転送しないようにしているので転送効率が良い。
【００１０】
請求項７の発明は、表示画面を備えた電子機器とデータを授受するインタフェース部と、画像データを記憶する記憶手段と、前記インタフェース部に接続された前記電子機器の表示画面の水平画素数及び垂直画素数を判別する判別手段と、前記判別手段が判別した前記電子機器の表示画面の水平画素数および垂直画素数と同一の画素数から構成される画像データとなるように前記画像データに対して所定の処理を施して前記インタフェース部から前記電子機器に出力する処理手段とを備えたことを特徴としている。すなわち、大画面である外部の表示画面の水平、垂直画素数を検出して表示に必要な画像データのみデジタルカメラから出力するようにしているので転送効率がよい。
【００１１】
請求項８の発明は、前記処理手段は、下記条件（１）、（２）のうちの何れかが満たされたならば、前記インタフェース部から出力する画像データの水平方向の表示サイズを前記電子機器の表示画面の水平方向中央部に対して左右端点近傍に近づくに従って相対的に拡大するよう処理することを特徴としている。
【００１２】
（Ｎ１／Ｎ２）＜（Ｌ１／Ｌ２）        （１）
（Ｎ１／Ｎ２）＜（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
すなわち、外部表示画面がデジタルカメラの画面より横長画面であったならば水平方向を拡大して全画角表示するようにしているがその際に、中央部の歪みを出来るだけ小さくして見苦しさを最小限に押さえるようにしている。
【００１３】
請求項９の発明は、前記処理手段は、下記条件（１）、（２）のうちの何れかが満たされたならば、前記インタフェース部から出力する画像データの垂直方向の表示サイズを前記電子機器の表示画面の垂直方向中央部に対して上下端点近傍に近づくに従って相対的に縮小するよう処理することを特徴とする請求項６または請求項７の何れかに記載のデジタルカメラ。
【００１４】
（Ｎ１／Ｎ２）＜（Ｌ１／Ｌ２）        （１）
（Ｎ１／Ｎ２）＜（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
この場合は請求項８の発明とは異なって、垂直方向を縮小して全画角表示している。その際に同様に中央部の歪みを小さくしている。
【００１５】
請求項１０の発明は、前記処理手段は、下記条件（１）、（２）のうちの何れかが満たされたならば、前記インタフェース部から出力する画像データの水平方向の表示サイズを前記電子機器の表示画面の水平方向中央部に対して左右端点近傍に近づくに従って相対的に縮小するよう処理することを特徴とする請求項６または請求項７の何れかに記載のデジタルカメラ。
【００１６】
（Ｎ１／Ｎ２）＞（Ｌ１／Ｌ２）        （１）
（Ｎ１／Ｎ２）＞（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
即ち、外部表示画面がデジタルカメラの画面より縦長画面であったならば水平方向を縮小して全画角表示するようにしているがその際に、中央部の歪みを出来るだけ小さくして見苦しさを最小限に押さえるようにしている。
【００１７】
請求項１１の発明は、前記処理手段は、下記条件（１）、（２）のうちの何れかが満たされたならば、前記インタフェース部から出力する画像データの垂直方向の表示サイズを前記電子機器の表示画面の垂直方向中央部に対して上下端点近傍に近づくに従って相対的に拡大するよう処理することを特徴とする請求項６または請求項７の何れかに記載のデジタルカメラ。
【００１８】
（Ｎ１／Ｎ２）＞（Ｌ１／Ｌ２）        （１）
（Ｎ１／Ｎ２）＞（Ｍ１／Ｍ２）        （２）
但し、Ｎ１：前記画像データの水平画素数
Ｎ２：前記画像データの垂直画素数
Ｌ１：前記電子機器の表示画面の水平の長さ
Ｌ２：前記電子機器の表示画面の垂直の長さ
Ｍ１：前記電子機器の表示画面の水平画素数
Ｍ２：前記電子機器の表示画面の垂直画素数
この場合は請求項１０の発明とは異なって、垂直方向を拡大して全画面表示している。その際に同様に中央部の歪みを小さくしている。
【００１９】
請求項１２の発明は、前記処理手段は、前記画像データが前記電子機器の表示画面に水平、垂直方向ともに同一のサイズで表示されるように前記画像データを処理することを特徴としている。これにより表示画面全面が同一倍率で表示され、その際、外部表示画面の画素に応じて出力する画像データを決めている。請求項１３の発明は、前記処理手段は、少なくとも前記画像データの垂直方向の上端及び下端が前記電子機器の表示画面の垂直方向の上端及び下端にほぼ一致して表示されるかあるいは前記画像データの水平方向の左端及び右端が前記電子機器の表示画面の水平方向の左端及び右端にほぼ一致して表示されるよう処理することを特徴としている。即ち、デジタルカメラの画像データを外部表示画面の縦横方向の何れかを画面一杯に表示している。
【００２０】
請求項１４の発明は、前記処理手段は、前記画像データの水平方向の左右端及び垂直方向の上下端までの全てが前記電子機器の表示画面に表示されるよう処理することを特徴としていて、デジタルカメラの画像データが外部表示画面上に画面がけられることなく全画面が表示される。請求項１５の発明は、更に、前記画像データから前記電子機器の表示画面に表示する範囲を抽出する抽出手段を備え、前記抽出手段は前記電子機器の表示画面上に前記画像データの垂直方向の上下端がほぼ一致して表示されている場合には水平方向に対して、あるいは水平方向の左右端がほぼ一致して表示されている場合には垂直方向に対して前記画像データから前記電子機器の表示画面に相当する範囲を抽出することを特徴としている。この場合は、外部表示画面の水平あるいは垂直方向についてデジタルカメラの全画面を表示し、他方についてはオーバスキャンしている。
【００２１】
請求項１６の発明は、更に、前記画像データから前記電子機器の表示画面に表示する範囲を抽出する抽出手段と、表示画面をズーミングするよう指示するズーム手段とを備え、前記抽出手段は前記ズーム手段によるズーミング指示に基づいて前記画像データから前記電子機器の表示画面に表示する範囲を抽出することを特徴とする。即ち、外部モニタの画素数を判別してズームした範囲のみの画像データを出力している。請求項１７の発明は、更に、前記画像データから前記電子機器の表示画面に表示する範囲を抽出する抽出手段と、前記電子機器の表示画面に表示される表示画像を上下あるいは左右にスクロールするためのスクロール信号を生成するスクロール信号生成手段とを備え、前記抽出手段は前記スクロール信号生成手段によるスクロール信号に基づいて前記画像データから前記電子機器の表示画面に表示する範囲を抽出することを特徴としている。この場合も同様に外部モニタの画素数を判別してズームした範囲のみの画像データを出力している。
【００２２】
請求項１８の発明は、更に、前記画像データを表示する第２表示画面と、前記インタフェース部に前記電子機器が接続されていることを検出する検出手段と、前記検出手段の検出結果に応じて前記第２表示画面の電源をオフする電源制御手段とを備えたことを特徴としている。即ち、外部大型画面で表示しているときにはデジタルカメラのモニタをオフすることで節電効果が得られる。請求項１９の発明は、前記インタフェース部は前記電子機器とネットワークを介してデータを授受することを特徴としていて、ケーブルで直接機器間が接続されるだけでなくＬＡＮ等のネットワークを通じてもデータの授受を行う。
【発明を実施するための最良の形態】
【００２３】
以下、図面を参照して本発明の実施の形態を説明する。
【００２４】
図１は、本発明のデジタルカメラ１についてその主要な機能を説明したブロック図である。
【００２５】
被写体を撮影する撮像部１０１は撮影レンズ、絞り、シャッタ、撮像素子、撮像素子を駆動するドライバ等から構成される。ここで撮像素子は撮像面上に結像された被写体像の光強度に応じた電気信号を出力する光電変換撮像素子であり、ＣＣＤ型やＭＯＳ型の固体撮像素子が用いられる。この撮像部からの撮像信号はＡ／Ｄ変換器１０２によりデジタル信号に変換され一旦バッファメモリ１０３に記憶される。このバッファメモリは撮像部１０１で撮影された画像データを同時に複数フレーム分記憶しておくことができる。この撮像信号はＣＰＵ１０４の指示により処理回路１０５において輪郭強調、ガンマ補正、色補正、更には記録再生時の圧縮伸長処理等の処理が施される。この処理後の信号も前述したバッファメモリ１０３に一旦記憶する。必要に応じて前述の処理回路１０５で圧縮された画像データはデジタルカメラに着脱自在のメモリカード１０６に記録される。撮像部１０１で撮影されデジタル信号に変換された画像データは液晶（ＬＣＤ）モニタ１０７に表示される。このＬＣＤモニタ１０７はメモリカード１０６に記録されている画像データを再生表示するのにも使用される。このＬＣＤモニタ１０７に送られる信号と同様の画像データがインタフェース部１０８を通じて外部の表示装置へと送られる。この際の接続方法としてはＵＳＢ、ＩＥＥＥ１３９４等ケーブルを使用した接続や、無線ＬＡＮ、Ｂｌｕｅｔｏｏｔｈ等の無線での接続方法がある。本実施例においてはデジタルカメラと家庭内の各部屋に置かれたＴＶモニタ等の各種電化機器とが無線ＬＡＮによって家庭内ネットワークで互いに結ばれた状態にあるものとする。これら電化機器のうち、電源をオンした機器は互いに他の電源がオンしている機器のＩＤ（識別情報）を検出し、予め設定されている動作手順に従ってデータを送受信することが出来る。この時もしも複数の機器が検出された場合には予め定められた優先順位に従ってデータを送受信する機器が選択される。操作部材１０９は撮影開始を指示するシャッタ釦等を含み、詳細は図２で後述する。ＣＰＵ１０４はデジタルカメラ１の撮影や再生時の全体のシーケンスを制御する。
【００２６】
図２を使用して本発明によるデジタルカメラ１と外部大型表示装置２とを接続したときのそれぞれの装置での表示形態の一例を説明する。図に置いて図１と同一の部材には同一番号が付けられている。外部大型表示装置（外部モニタ）２は大型表示画面２０１を備えた家庭用のＴＶモニタあるいはＴＶ受像機である。このＴＶ受像機は通常のＴＶ放送番組を受信する以外にデジタルカメラ１からのデータを直接受信アンテナ２０２で無線ＬＡＮのプロトコルで受信する。あるいは家庭内ネットワーク全体を管理する管理サーバを別途設置して、このサーバを経由して機器間で各種データを送受信する形態であっても良い。
【００２７】
デジタルカメラ１の外観部を説明する。前述した操作部材１０９は少なくとも１０９１〜１０９５で示される各釦から構成される。１０９１は撮影開始を指示するシャッタ釦である。１０９２は記録や再生モードを切り換えるセレクトダイアルである。１０９３はメニュー表示釦１０９４を押すことでＬＣＤモニタ１０７に表示される各種メニュー項目に対してカーソルを上下左右に移動させたり、メニュー表示された項目や機能の設定、および決定を行うためのマルチセレクタである。このマルチセレクタ１０９３は撮影時にはズームレンズのアップ、ダウンにも使用され、再生時には再生画像の更新、マルチ表示画面内での画面選択あるいは再生画面のズームアップやダウンにも使用される。１０９５はＬＣＤモニタにマルチ画面を再生するか１画面のみ再生するかを切り換えるマルチ表示切り換え釦である。１０６１はメモリカード１０６の挿入口である。１０８１は無線ＬＡＮプロトコルで外部モニタに各種データを送出するアンテナである。本発明の一実施形態として、この図２ではＬＣＤモニタ１０７に表示されている画面のデータがＴＶモニタ２に送られ、アスペクト比の異なる大画面２０１画面両側がブランクの状態で表示されている。
【００２８】
次に図３、図４のフローチャートを使用して本発明の動作を説明する。図３は外部モニタ２と接続された本発明によるデジタルカメラ１の全体の概略動作フローである。ステップＳ１０１でデジタルカメラ１の電源がオンしているか確認し、電源がオンしていたならばステップＳ１０２に進んで外部モニタ２と接続されているかどうかを前述した識別情報
を認識することで確認する。ここでの接続形態は前述した有線、無線何れの方法であっても良い。接続されていなかったならばステップＳ１０３に進み電源がオフされたかどうか確認する。電源がオフされたならば本フローを終了し、オフされていなかったならばステップＳ１０２に戻って外部モニタが接続されたかどうか確認する。外部モニタ２が接続されていなかった場合のこのステップＳ１０２とステップＳ１０３のループの途中において、デジタルカメラ単独で撮影あるいは再生動作をするがそれらについてはここでは本発明の説明には必要ないので省略している。
【００２９】
ステップＳ１０２で外部モニタ２が接続されていることが確認されたならば、ステップＳ１０４に進んでここで接続されている外部モニタ２から外部モニタ２の表示部２０１の表示画素数やアスペクト比等、外部モニタ２に関する情報を読み込む。大画素の撮像素子から作成されたデジタルカメラの画像データを全て外部モニタ２に出力すると転送時間がかかってしまうので、ステップＳ１０５においては読み込んだ外部モニタ情報に基づいて外部モニタ２に表示するに充分なだけのデータを作成する。この外部モニタ情報は接続された外部モニタ２の種類に応じて得られる情報形態が異なっている。このステップＳ１０５の詳細は図４で説明する。ステップＳ１０６ではデジタルカメラ１の電源がオフされたかどうか確認し、もしオフされていなかったならばステップＳ１０５に戻って最適データ量の出力画像データを作成する。電源がオフされたことが確認されたならば本フローを終了する。
【００３０】
図４を基に図３ステップＳ１０５の出力データ作成について説明する。ステップＳ１１０では前述したステップＳ１０４で読み込んだ外部モニタ２の水平・垂直の表示画像数を判別することが可能かどうか判断する。前述したように外部モニタに応じて外部モニタ情報は様々な入手形態が考えられるが、以下の３通りを考慮すれば対応可能である。まず１番目は、ブラウン管等から成る一般の家庭用ＴＶ受像機などでアスペクト比のみ判別可能な場合である。この場合には画素数情報がないので判別したアスペクト比のみから出力する画素数を予め設定する。例えば、アスペクト比が４：３のモニタであると判別したならば垂直画素数を４８０、水平画素数を６４０に設定しステップＳ１１２に進む。２番目は外部モニタ２の表示部２０１が液晶表示やプラズマ表示あった場合にはその水平・垂直の画素数を確認することで出力する画素数を設定することが出来るのでステップＳ１１２に進む。外部モニタ２がマルチスキャン方式のモニタだった場合にはそのとき設定されている解像度を判別してステップＳ１１２に進む。一方、３番目の入手形態は１番目に説明したブラウン管等から成る一般の家庭用ＴＶ受像機で、アスペクト比以外に垂直走査線数の判別ができるような場合である。このとき、水平方向は単にビームを水平方向に走査するだけであるので具体的な水平画素数情報は得られない。その場合にはステップＳ１１１に進んでここでステップＳ１０４で読み込んだ垂直走査線情報とアスペクト比とに基づいて有効水平画素数を算出する。具体的には、もし外部モニタ２がアスペクト比４：３の通常の画面であったならば垂直走査線数の３分の４倍を水平画素数とし、アスペクト比が１６：９のハイビジョン用の画面であったならば垂直走査線数の９分の１６倍を水平画素数とする。この垂直走査線数を有効垂直走査線数に変えて算出しても良い。
【００３１】
これ以降の説明でアスペクト比といった場合には画面の水平長さと垂直長さの比あるいは水平画素数と垂直画素数の比の何れかを指すものとする。但し、画素の配列は水平、垂直ともに画素間隔が等しい正方画素配列としている。ステップＳ１１２では外部モニタ２のアスペクト比がデジタルカメラ１の撮像部１０１で撮像した画像のアスペクト比あるいはメモリカード１０６から再生した再生画像のアスペクト比と同一であるかどうか判別する。両方のアスペクトが同じ場合はデジタルカメラの画像データがケられることなく全画面外部モニタ２に表示される。もし同一でなかったならばステップＳ１１３に進み、同一だったならばステップＳ１１４に進む。ステップＳ１１４ではここまでに判別している外部モニタ２の画素数と前述したデジタルカメラ１の撮像画像データあるいは再生画像デー
タと比較する。もし外部モニタ２の画素数がこれらの画像データよりも多い場合にはステップＳ１１５に進み、少ない場合にはステップＳ１１６に進む。ステップＳ１１６では外部モニタ２の画素数がデジタルカメラ１の画像データより多いので単に画像データをそのまま出力しただけだと外部モニタ２の表示画面内に小さいデジタルカメラ１の画面が表示されることになる。これを避け、外部モニタ２の画面一杯に表示するためにデジタルカメラ１の画像データを補完してやって画素数を外部モニタ２の画素数に合わせてから出力する。ステップＳ１１６ではステップＳ１１６とは逆に外部モニタ２の画素が少ないので外部モニタ２の画素数にあうようにデジタルカメラ１の画像データを間引いて縮小画面を作成する。ステップＳ１１７ではこれら拡大あるいは縮小した画像データを外部モニタ２に出力する。
【００３２】
ステップＳ１１８ではＬＣＤモニタ１０７あるいは外部モニタ２に表示している撮影画像あるいは再生画像に対してデジタルカメラ１を操作して拡大あるいは縮小するためのズーム指示がされたかどうか判別する。ズーム指示方法の一例として、画像を撮影あるいは再生中にメニュー表示釦１０９４を押すとＬＣＤモニタ１０７にズームアップあるいはズームダウンするための選択項目が画面に重畳表示される（不図示）。ここでマルチセレクタ１０９３で所望の項目を選択するとズームアップあるいはズームダウン指示がされる。このようにしてズーム指示がされたならばステップＳ１１９に進み、指示されなかったならばステップＳ１２０に進む。ステップＳ１１９では撮影あるいは再生画像データからズーム指示に応じた切り取り範囲を決定してステップＳ１１４に戻りＬＣＤモニタ１０７あるいは外部モニタ２用の画面を再度作成する。ステップＳ１１９ではズームアップすることで画面全体が同時に全て表示されなくなった場合に表示画面を上下あるいは左右に移動させるためのスクロール指示がされたかどうか判別する。この場合のスクロール指示方法も前述したズーム指示方法と同様にスクロールのための選択画面が重畳表示される。もしスクロール指示がされたならばズーム指示の場合と同様にステップＳ１１９に進んでスクロール指示に対応した切り取り範囲を決定する。指示がなかったならば本フローを終了する。
【００３３】
ステップＳ１１２で撮像あるいは再生画像データと外部モニタ２とでアスペクト比が異なっていた場合にはＣＰＵ１０４は出力画面のアスペクトを変更するかどうかをユーザに選択させるためにＬＣＤモニタ１０７に選択メニューを表示する（不図示）。この場合も先のズーム指示やスクロール指示と同様マルチセレクタ１０９３を使用してユーザが所望の項目を選択する。ステップＳ１１３でユーザがアスペクト比を変更するように選択したと判別したならばステップＳ１２１に進みここでアスペクト変換処理が終了したらステップＳ１１４に進む。このアスペクト変換処理については後述する。アスペクト変換しなかった場合には画面を縮小して全画面を表示する方法と、水平あるいは垂直方向は全画像データを表示して他方は表示画面からはみ出させる方法の二通りの表示方法がある。後者の方法をここではオーバスキャン設定という。アスペクトを変換しないよう設定したと判別したならばステップＳ１２２に進みここでオーバスキャン設定されているかどうか判別する。この場合の設定も前述したメニュー表示釦１０９４とマルチセレクタ１０９３によってユーザが選択する。もちろんデフォルトで何れかに設定しておいても良い。オーバスキャン設定されていない場合には画面の両側あるいは上下をブランクにして画像データによる全画面を表示するためステップＳ１１４に進む。図５は４：３のアスペクト比の画像を１６：９の外部モニタに表示する場合の表示例である。もしアスペクト比の大小関係が逆の場合には表示画面の上下がブランクとなる。もしステップＳ１２２でオーバスキャンする設定になっていた場合にはステップＳ１２３に進みここで所定の切り取り範囲を決定する。図６に４：３のアスペクト比の画像を１６：９のアスペクト比の外部モニタ２に表示する場合の表示例を示す。図において実線内の画像データが実際に表示されることになる。この後はステップＳ１１４に進む。なお、図６において表示されていない部分についてはステップＳ１２０のスクロール指示によって両矢印で示しように上下に移動させること
が出来る。但し、このステップＳ１２２及びステップＳ１２３は外部モニタ２の画素数がデジタルカメラ１の画像データより少ない場合である。もし外部モニタ２の画素数が多かった場合にはこのステップＳ１２２及びステップＳ１２３はスキップされる。
【００３４】
ここでステップＳ１２１のアスペクト変換処理について図７、図８を用いて説明する。図７（Ａ）はアスペクト比４：３の画面であり、図７（Ｂ）はアスペクト比１６：９の画面である。図７（Ｂ）の場合は垂直方向は元の画面の全画角が均等に表示されるようにして水平方向を単純に横方向に伸長した場合である。この図からも分かるように単純にアスペクト変換をすると円が楕円になって画面が歪んで見苦しくなってしまう。それ故、水平方向の中心付近では端点付近に比べて伸長の程度を小さくしてやって見苦しさを軽減する必要がある。図８を使って画素間隔を中心付近に比べて端点付近で伸長することで表示画面の表示サイズを伸長する方法について説明する。ここでは１本の水平走査線の左半分のみ示している。右半分はこれと対称である。まず、アスペクト比が４：３と１６：９の画面の水平走査線をそれぞれＬ１、Ｌ２としてその長さをそれぞれＨ１、Ｈ２とする。まず、４：３の走査線（Ｌ１）上の画素を図に示すごとく不等間隔（但し、ａ＜ｂ＜ｃ＜ｄ＜ｅ）にサンプリングする。これを１６：９の走査線（Ｌ２）上に等間隔となるよう配置する。即ち、ｋ１・ａ＝ｋ２・ｂ＝ｋ３・ｃ＝ｋ４・ｄ＝ｋ５・ｅとなるようにｋ１、ｋ２、ｋ３、ｋ４、ｋ５をそれぞれ決定する。この様に画素間隔を設定すると周辺に行くに従って表示サイズが拡大されることになる。ここで説明したのとは逆に、始めデジタルカメラ１の画像データを等間隔にサンプリングして後で中心に比べて端点近傍ほど密になるように不等間隔に配置しても同様である。また、図７（Ｂ）とは異なって、水平方向の全画面が均等に表示されるようにして垂直方向は縮小処理しても同様の結果が得られる。この場合には垂直方向の中心付近では端点近傍に比べて縮小の程度を小さくしてやればよい。また、１６：９の画像データを４：３の画面に表示する場合はこれまで述べた拡大あるいは縮小をそれぞれ逆にしてやればよい。
【００３５】
ここまでの説明では主にスタンダードサイズとハイビジョンサイズの表示画面とでアスペクト変換する場合について説明した。表示画面のアスペクトについてはこれ以外にもスコープサイズ、ビスタサイズ等異なったアスペクト比の規格があり、更に、デジタルカメラに使用する撮像素子のアスペクトも４：３の場合だけでなく３：２の場合もあり一通りではない。それ故、図７の場合は一般的に言うとアスペクト比の小さい画面をアスペクト比の大きい画面に変換する場合の処理ということが出来る。これを図７の場合について次に具体的に説明する。まずデジタルカメラ１の画像データの水平画素数をＮ１、垂直画素数をＮ２、外部モニタ２の表示画面の水平の長さをＬ１、垂直の長さをＬ２、外部モニタ２の表示画面の水平画素数をＭ１、垂直画素数をＭ２とする。これらの間に、
Ｎ１／Ｎ２＜Ｌ１／Ｌ２
または
Ｎ１／Ｎ２＜Ｍ１／Ｍ２
の関係があったときに図７に示すように、水平方向端点近傍の画素サイズを拡大するようにアスペクト変換処理を施してやればよい。あるいは垂直方向端点近傍の画素サイズを縮小するようにしても良い。
【００３６】
逆に、
Ｎ１／Ｎ２＞Ｌ１／Ｌ２
または
Ｎ１／Ｎ２＞Ｍ１／Ｍ２
の関係があったときには、水平方向端点近傍の画素サイズを縮小するようにアスペクト変換処理を施してやればよい。あるいは垂直方向端点近傍の画素サイズを拡大するようにしても良い。
【００３７】
以上説明したように、デジタルカメラ１に接続された外部モニタ２の表示画面のアスペクトに応じて表示画面の画素数分のデータのみ出力するように制御しているので画像データの転送時間が短縮されるとともに外部モニタ２で表示のための間引き等の処理をする必要がないので各種の外部モニタに容易に接続することが出来る。
【図面の簡単な説明】
【００３８】
【図１】本発明によるデジタルカメラの構成を示すブロック図である。
【図２】本発明によるデジタルカメラと外部モニタの表示形態の一例を説明する図である。
【図３】本発明によるデジタルカメラの表示動作を説明するフローチャートである。
【図４】本発明によるデジタルカメラの表示動作を説明するフローチャートである。
【図５】アスペクト比の異なる画像の表示例である。
【図６】アスペクト比の異なる画像の他の表示例である。
【図７】単純にアスペクト比を変換した場合の表示例である。
【図８】中心付近と周辺部とで圧縮あるいは伸長の比率を変えた場合を説明する図である。
【符号の説明】
【００３９】
１      デジタルカメラ
１０１  撮像部
１０２  Ａ／Ｄ変換器
１０３  バッファメモリ
１０４  ＣＰＵ
１０５  処理回路
１０６  メモリカード
１０７  ＬＣＤモニタ
１０８  インタフェース
１０９  操作部材
２      外部モニタ
２０１  大型画面
２０２  受信アンテナ
１０６１  カード挿入口
１０８１  送信アンテナ
１０９１  シャッタ釦
１０９２  セレクトダイアル
１０９３  マルチセレクタ
１０９４  メニュー表示釦
１０９５  マルチ表示切り換え釦
【図１】
2005080043.tif 000003
【図２】
2005080043.tif 000004
【図３】
2005080043.tif 000005
【図４】
2005080043.tif 000006
【図５】
2005080043.tif 000007
【図６】
2005080043.tif 000008
【図７】
2005080043.tif 000009
【図８】
2005080043.tif 000010